(57)【要約】【課題】スチーム及び水素ガスを混合した混合ガスを同時に生成し、混合ガス生成時に生じる熱を活用することで、美容エステ効果を向上させ、コストの低減を図り、美白や保湿に混合ガス作用効果の大きい水素水蒸気スプレーポットを提供する。【解決手段】下部部分にポット本体から区画して形成され、水素水蒸気発生剤と水とを収納する部屋を有し、当該部屋に投入され、収納された水にドブ漬けされた水素水蒸気発生剤と当該部屋内に形成された水溜め部の水との反応で水素と水蒸気とを同時に発生させて混合ガスを生成する水素水蒸気生成部を形成する。【選択図】図１
2018175319.tif 000002
【特許請求の範囲】
【請求項１】
ポット本体と、
水素水蒸気発生剤と水とを収納する部屋を有し、当該部屋に投入され、収納された水に、当該水が常温から加熱が継続された状態下でドブ漬けされた水素水蒸気発生剤と当該部屋内に形成された水溜め部の水との反応で水素と水蒸気とを同時に発生させて混合ガスを生成する、ポット本体内に形成されたと、
上部部分に設けられた、外方に向けて設置されたスプレー孔を備え、発生された水素及び水蒸気の混合ガスを噴出させる混合ガススプレー部と、
混合ガススプレー部で噴出する前に温度を低下させる冷却領域を有する混合ガス冷却部と、からなること
を備えることを特徴とする水素水蒸気スプレーポット。
【請求項２】
請求項１に記載された水素水蒸気スプレーポットにおいて、水素水蒸気生成部が、前記部屋の上部に、混合ガス溜まりを有することを特徴とする水素水蒸気スプレーポット。
【請求項３】
請求項１に記載された水素水蒸気スプレーポットにおいて、嵌合用のあるいは係合用の空間部を有して、該空間部にポット本体の一部を収納するダルマ形状の姿勢安定部材を備えたことを備えることを特徴とする水素水蒸気スプレーポット。
【請求項４】
請求項１に記載された水素水蒸気スプレーポットにおいて、前記部屋が、区画板がポット本体内に設置されることで形成され、混合ガス導出管が当該区画板に連結され、ポット本体の上部がポット本体の下部から切り離されると、混合ガス導出管と共に前記区画板がポット本体から切り離され、水蒸気発生剤と水とがポット本体下部内に収納可能とされ、ポット本体の上部がポット本体の下部に接合されると、水素水蒸気混合ガス生成手段が形成されることを特徴とする水素水蒸気スプレーポット。
【請求項５】
請求項１に記載された水素水蒸気スプレーポットにおいて、第１の接合部を持つ上部筒部、前記混合ガススプレー部及び区画板を備えた混合ガス導出部が一体成形されたポット本体上部と、
第１の接合部に接合可能な第２の接合部を持つ下部筒部が一体成形されたポット本体下部と、の二つの部材に分離され、また第１の接合部及び第２の接合部を介して一つに接合されることを特徴とする水素水蒸気スプレーポット。
【請求項６】
ポット本体と、
ポット本体内に区画して形成された、水を収納する部屋を有し、収納された水に、当該水が常温から加熱が継続された状態下でドブ漬けされた水素水蒸気同時発生手段を有して、同時に生成された水素と水蒸気とから混合ガスを生成する、水素水蒸気混合ガス生成手段と、
発生した混合ガスを冷却して温暖化する冷却温暖化手段と
ポット本体の上部に設けられた、外方に向けて設置されたスプレー孔を備え、発生された水素及び水蒸気の温暖状態の混合ガスを噴出させる混合ガススプレー手段と、を有して構成されたこと
を特徴とする水素水蒸気スプレーポット。
【請求項７】
請求項６に記載された水素水蒸気スプレーポットにおいて、水素水蒸気発生手段が電気分解装置であることを特徴とする水素水蒸気スプレーポット。
【請求項８】
ポット本体と、
ポット本体内に設置された、水素と水蒸気とからなる混合ガスを発生させる水素水蒸気混合ガス生成手段と、
生成された混合ガスを温暖化するポット本体内の内部空間部と、
ポット本体の上部に設けられた、外方に向けて設置されたスプレー孔を備え、ポット本体内の内部空間部に保持された混合ガスを噴出させる混合ガススプレー手段と、
前記部屋と前記スプレー孔とを連結する混合ガス導出管を有する混合ガス導出部と、からなる水素水蒸気スプレーポットであって、
前記混合ガススプレー部が、スプレー孔に連結される連結部と、供給管と、供給管の先端に設けられたスプレー部とからなり、該供給管に、スプレー部から温暖化された混合ガスの噴出量を調整する調整手段が設けられていること
を特徴とする水素水蒸気スプレーポット。
【発明の詳細な説明】
【技術分野】
【０００１】
本発明は、水素水蒸気スプレーポットに関する。
【背景技術】
【０００２】
水素には抗酸化をはじめ、美白や保湿など美肌に対する有用性が多々確認されており、既に学会等でも発表されている。従来の水素水や水素サプリに加え、体の外側から水素効果を得るための発明が数多くなされている。洗顔フォームの泡に水素ガスを溶解させる美容機器、ミスト化した水素水を顔に吹きかける美顔器、スチーム美容器が登場し、美容院やエステサロンなどへの導入がなされている。
【０００３】
特許文献１には、仰角を調整可能なスチーム美容器が記載されている。
【０００４】
特許文献２には、水を沸騰させることなく加熱してスチームを発生させるスチーム美容器が記載されている。
【０００５】
特許文献３には、水素ガス発生部材を液中に投入して水素ガスを発生させる水素水・水素ガス生成装置が記載されている。
【先行技術文献】
【特許文献】
【０００６】
【特許文献１】特許第５３２０１４９号公報
【特許文献２】特許第４６３１７７３号公報
【特許文献３】特開２０１６−２１６２７３号公報
【発明の概要】
【発明が解決しようとする課題】
【０００７】
特許文献１あるいは２に示されるように、スチームを発生させて、美白や保湿など美肌に対する有用性のある手法が採用されている。また、特許文献３に示されるように、水素ガスあるいは水素水が生成されて、美顔エステに採用されている。
【０００８】
このような手法は、美白や保湿など美肌に対して有用であるが、個々のガスとして用いる場合やスチーム及び水素ガスを個々に生成し、混合して混合ガスとして採用するのではコストが高くなり、美容院やエステサロンあるいは家庭内への導入が困難である。
【０００９】
本発明は、かかる点に鑑みスチーム及び水素ガスを混合した混合ガスを同時に生成し、混合ガス生成時に生じる熱を活用することで、美容エステ効果を向上させ、コストの低減を図り、美白や保湿に混合ガス作用効果の大きい水素水蒸気スプレーポットを提供することを目的とする。
【課題を解決するための手段】
【００１０】
本発明は、ポット本体と、
水素水蒸気発生剤と水とを収納する部屋を有し、当該部屋に投入され、収納された水に、当該水が常温から加熱が継続された状態下でドブ漬けされた水素水蒸気発生剤と当該部屋内に形成された水溜め部の水との反応で水素と水蒸気とを同時に発生させて混合ガスを生成する、ポット本体内に形成されたと、
上部部分に設けられた、外方に向けて設置されたスプレー孔を備え、発生された水素及び水蒸気の混合ガスを噴出させる混合ガススプレー部と、
混合ガススプレー部で噴出する前に温度を低下させる冷却領域を有する混合ガス冷却部と、からなること
を備えることを特徴とする水素水蒸気スプレーポットを提供する。
【００１１】
本発明は、上述の水素水蒸気スプレーポットにおいて、水素水蒸気生成部が、前記部屋の上部に、混合ガス溜まりを有することを特徴とする水素水蒸気スプレーポットを提供する。
【００１２】
本発明は、上述の水素水蒸気スプレーポットにおいて、嵌合用のあるいは係合用の空間部を有して、該空間部にポット本体の一部を収納するダルマ形状の姿勢安定部材を備えたことを備えることを特徴とする水素水蒸気スプレーポットを提供する。
【００１３】
本発明は、上述の水素水蒸気スプレーポットにおいて、前記部屋が、区画板がポット本体内に設置されることで形成され、混合ガス導出管が当該区画板に連結され、ポット本体の上部がポット本体の下部から切り離されると、混合ガス導出管と共に前記区画板がポット本体から切り離され、水蒸気発生剤と水とがポット本体下部内に収納可能とされ、ポット本体の上部がポット本体の下部に接合されると、水素水蒸気混合ガス生成手段が形成されることを特徴とする水素水蒸気スプレーポットを提供する。
【００１４】
本発明は、上述の水素水蒸気スプレーポットにおいて、第１の接合部を持つ上部筒部、前記混合ガススプレー部及び区画板を備えた混合ガス導出部が一体成形されたポット本体上部と、
第１の接合部に接合可能な第２の接合部を持つ下部筒部が一体成形されたポット本体下部と、の二つの部材に分離され、また第１の接合部及び第２の接合部を介して一つに接合されることを特徴とする水素水蒸気スプレーポットを提供する。
【００１５】
本発明は、ポット本体と、
ポット本体内に区画して形成された、水を収納する部屋を有し、収納された水に、当該水が常温から加熱が継続された状態下でドブ漬けされた水素水蒸気同時発生手段を有して、同時に生成された水素と水蒸気とから混合ガスを生成する、水素水蒸気混合ガス生成手段と、
発生した混合ガスを冷却して温暖化する冷却温暖化手段と
ポット本体の上部に設けられた、外方に向けて設置されたスプレー孔を備え、発生された水素及び水蒸気の温暖状態の混合ガスを噴出させる混合ガススプレー手段と、を有して構成されたこと
を特徴とする水素水蒸気スプレーポットを提供する。
【００１６】
本発明は、上述の水素水蒸気スプレーポットにおいて、水素水蒸気発生手段が電気分解装置であることを特徴とする水素水蒸気スプレーポットを提供する。
【００１７】
本発明は、ポット本体と、
ポット本体内に設置された、水素と水蒸気とからなる混合ガスを発生させる水素水蒸気混合ガス生成手段と、
生成された混合ガスを温暖化するポット本体内の内部空間部と、
ポット本体の上部に設けられた、外方に向けて設置されたスプレー孔を備え、ポット本体内の内部空間部に保持された混合ガスを噴出させる混合ガススプレー手段と、
前記部屋と前記スプレー孔とを連結する混合ガス導出管を有する混合ガス導出部と、からなる水素水蒸気スプレーポットであって、
前記混合ガススプレー部が、スプレー孔に連結される連結部と、供給管と、供給管の先端に設けられたスプレー部とからなり、該供給管に、スプレー部から温暖化された混合ガスの噴出量を調整する調整手段が設けられていること
を特徴とする水素水蒸気スプレーポットを提供する。
【発明の効果】
【００１８】
本発明によれば、下部部分にポット本体から区画して形成され、水蒸気発生剤と水とを収納する部屋を有し、当該部屋に投入された水蒸気発生剤と当該部屋内に形成された水溜め部の水との反応で水素と水蒸気とを同時に発生させて混合ガスを生成する水素水蒸気生成部を形成することができる。これによれば、スチーム及び水素ガスを混合した混合ガスを同時に生成し、混合ガス生成時に生じる熱を活用することで、美容エステ効果を向上させ、コストの低減を図り、美白や保湿に混合ガス作用効果の大きい水素水蒸気スプレーポットを提供することができる。
【００１９】
また、混合ガススプレー部が、スプレー孔に連結される連結部と、供給管と、供給管の先端に設けられたスプレー部とからなり、該供給管に、スプレー部からスプレーされる混合ガスの噴出量を調整する調整手段を設けて、混合ガスの噴出量、噴出時間を調整することができる。
【図面の簡単な説明】
【００２０】
【図１】本発明の実施例である水素水蒸気スプレーポットの断面図
【図２】水素水蒸気スプレーポットの上部部分を示す図
【図３】水素水蒸気スプレーポットの上部部分を示す図
【図４】水素水蒸気スプレーポットに用いられる水素水蒸気発生剤を示す図
【図５】本発明の他の実施例である水素水蒸気スプレーポット構成を示す図
【図６】本発明の他の実施例である水素水蒸気スプレーポット構成を示す図
【図７】本発明の他の実施例である水素水蒸気スプレーポット構成を示す図
【図８】本発明の他の実施例である水素水蒸気スプレーポット構成を示す図
【発明を実施するための形態】
【００２１】
以下、本発明の実施例を図面に基づいて説明する。
【００２２】
図１は、本発明の実施例である水素水蒸気スプレーポットの断面を示す図である。
【００２３】
図２は、水素水蒸気スプレーポットの上部部分を示す図である。
【００２４】
図３は、水素水蒸気スプレーポットの上部部分を示す図である。
【００２５】
図４は、水素水蒸気スプレーポットに用いられる水素水蒸気発生剤を示す図である。
【００２６】
これらの図において、１００は、水素水蒸気スプレーポットを示す。水蒸気発生剤と水との反応で発生した水素と水蒸気との混合ガスを、単に混合ガスあるいは「水素水蒸気」と称する。
【００２７】
図２に示される水素水蒸気スプレーポットの上部部分と図３に示される水素水蒸気スプレーポットの上部部分とが枢密に接合されて、図１に示される本発明の実施例である水素水蒸気スプレーポット１００が構成される。水素水蒸気を生成するために、水素水蒸気発生剤が用いられる。水素水蒸気発生剤は、水との反応で水素を発生する物質が布状の袋に収納されたものであり、公知の水素発生剤が用いられる。
【００２８】
図１に示される水素水蒸気スプレーポット１００は、ポット形態をなし、高さが５０ｃｍ以内で好んで形成されるが、この高さに限定されない。例えば、底面直径８０ｍｍ、高さ３００ｍｍ、あるいは直径６０ｍｍ、高さ２５０ｍｍのものが作られる。後述する部屋４１の高さは、前者の場合、例えば５０ｍｍ、後者の場合、例えば４０ｍｍとされ、水素水蒸気発生剤あるいは水素水蒸気発生装置が部屋４１内の水に、更には熱湯中にドブ漬けされて収納される。本発明はこれらの寸法には限定されない。
【００２９】
本発明になる水素水蒸気生成ポットは、ポット形態であるので、女性が容易に持運びすることができる。使用される水は、化粧水、水道水が好んで使用されるが、化粧水、水道水に限定されない。水蒸気が顔にスプレー、噴出されるので、不純物を含んだ水、あるいは汚れた水の使用は避ける。香料を含んだ水あるいは、飲料水、美容エステ専用の水が好んで用いられる。
【００３０】
図２において、水素水蒸気スプレーポットの上部部分は、主たる構成をなす上部筒部１、混合ガススプレー部２、混合ガス導出管５及び区画板６からなり、樹脂成型により一体に形成される。
【００３１】
上部筒部１は、上面が塞がれ、下端が開放された円筒状をなし、内部に上部空間部１２を有する。また、上部筒部１は、上部側面に混合ガススプレー部（混合ガススプレー手段）２を備え、上部空間部１２に混合ガス導出管５を備える。
【００３２】
混合ガス導出管５は、円管状をなし、開放された下端から下方に伸び、終端に一体化された区画板６を備える。区画板５は、円形の板状をなし、水平方向に延在し、端部にパッキング挿入溝１０を備える。
【００３３】
混合ガス導出管５は、上部で、混合ガススプレー部２に向けて直角に曲げられた形態をなし、混合ガススプレー部２のスプレー孔３に接続され、下端で、下方向に開放される。混合ガス導出管５の入口部には、混合ガス通気口７が形成される。
【００３４】
上部筒部１の内面には、下端から上方に向けて雌ねじ部８が設けられる。また、下端に、パッキング挿入溝９が形成される。
【００３５】
混合ガススプレー部２は、スプレー孔３と凹状になったスプレー部外面４とから形成される。スプレー部外面４の凹状面の中心方向あるいはスプレー孔３のスプレー方向は、製作時に設計思想に基づいて任意に変えられる。
【００３６】
図３において、水素水蒸気スプレーポットの下部部分は、主たる構成をなす下部筒部２１からなり、樹脂成型により形成される。下部筒部２１には、耐熱材が使用される。
【００３７】
下部筒部２１は、上端が開放され、下面が塞がれた円筒状をなし、内部に下部内空間部２２を有し、上部の外面に形成された雄ねじ部２４を有する。また、下部において、下部内空間部２２に面してパキング挿入溝２６を備える。
【００３８】
この例では、上部筒部１及び下部筒部２１によって、ポット本体が形成される。ポット本体は、円筒状とされたが、この形状に限定されず、任意の外形形態に設計されてよい。
【００３９】
図４に示される水素水蒸気発生剤としては、公知の水素発生剤を用いることができる。
【００４０】
例えば、原料に参加カルシウムとアルミ粉末を用い、これを小袋に充填することで形成された加熱水中においても用いられる。小袋に水を加えると、水素が発生する。反応式は、つぎのようになる。
【００４１】
CaO +Al+5H2O→Ca(OH)2+Al(OH4)+2H2  ↑
この反応時に、反応熱が生じる。
【００４２】
この水素発生剤にマグネシウム粉末を加えて、水素を発生させることも知られている。
【００４３】
本実施例では、水素を発生させる場合と同等の成分からなる水素発生剤が用いられるが、水素並びに水蒸気の発生に用いられるので、対水量との関係で使用される量に差が生じ、ここでは水素水蒸気発生剤として使用される。
【００４４】
図２に示される上部部分、図３に示される下部部分及び図４に示される水素水蒸気発生剤が組み合わされて、図１に示される水素水蒸気スプレーポット１００が構成される。
【００４５】
図３に示される下部筒部２１に、パキング挿入溝２５，２６にパッキング４２，４３が装着される。上方から、まず水素水蒸気発生剤３１が挿入され、底部に設置される。つづいて、上方から水が投入される。水の高さは、予め設けられたパキング挿入溝２６付近とされる。
【００４６】
つづいて、上方から、区画板１０を先頭にして上部筒部１が挿入される。水素水蒸気発生剤の外部から投入ごとに区画板が設置される。挿入の最終過程で、雄ねじ部２４と雌ねじ部８とが螺合され、上部部分と下部部分とからなり、上部部分と下部部分とが枢密に接続され、ポット本体が形成され、水素水蒸気スプレーポット１００が形成される。
【００４７】
下部部分にポット本体から区画して形成され、水素水蒸気発生剤３１と水とを収納する、下部筒部内空間部の下部部分２３から形成された部屋４１を有し、水素水蒸気発生剤３１と水との反応で水素と水蒸気とを同時に発生させ、混合ガスを生成する。当該混合ガスを部屋４１内の未反応の水から分離される。このようにして、水素水蒸気生成部４０が形成される。一般的な水の温度は、２５から３０℃であり、このような温度の水が好んで使用され、ここでは常温の水とする。
【００４８】
区画板６が所定の位置に設定され、パッキング挿入溝１０，２６にパッキング４３が装着されることで、下部筒部内空間部の下部部分２３は、独立した部屋４１となる。
【００４９】
水は、この部屋の容積の大きな部分を占めるが、全部を占めないようにして供給されるものとする。このために、容量の定められた計量タイプの容器が付随させ、外部から水量を視認できるようにしておくことが勧められる。部屋４１には、水を溜める水溜め部２７とその上方に混合ガス溜め部２８が形成される。
【００５０】
区画板６は、部屋４１を形成し、部屋内に水素水蒸気発生剤３１及び水を保持する機能を有する。加えて、区画板６は、混合ガス溜め部２８を形成する機能を有するが、混合ガス溜め部は、部屋４１とは別個に設けられてもよい。
【００５１】
部屋４１は、水素水蒸気発生剤の外部から投入ごとに区画板を設置することで形成され、当該区画板が、水素水蒸気発生剤を当該部屋に保持する。
【００５２】
水素水蒸気発生剤３１は、当該部屋に収納された水にドブ漬けされる。水素水蒸気発生剤３１は、水素発生剤としての機能を備え、水素を発生し、当該部屋内の水を加熱して水蒸気を発生させる。このように、水素水蒸気発生剤３１は、水蒸気を発生させるほどに水を熱し、沸騰させる。水素水蒸気発生剤３１は、沸騰された加熱水中に継続してドブ漬けされ、水素を発生し、同時に外部に噴出させるほどの量の水蒸気を継続して発生させる。外部に噴出させるほどの量の水蒸気を継続して発生させる量とされた水素水蒸気発生剤３１が区画された部屋４１内に投入される。水素水蒸気発生剤３１は、当初常温の量が規定量に限定された水の中に投入されるが、沸騰された加熱水中においても水素、水蒸気を継続して発生させる量とされる。水素水蒸気発生剤３１が沸騰された加熱水中においてもドブ漬け状態にあり、本実施例の特徴をなす。したがって、本実施例で、水素水蒸気発生剤３１を水中にドブ漬けするとは、当初常温の水に投入され、沸騰された加熱水中においても水素、水蒸気を継続して発生させる状態を形成することをいう。いくつかの従来例に示されるように、ポット本体内に水素を発生されるために水素発生剤を設置する方法では、水が過剰状態にあり、水素の発生はなされるが水蒸気に発生がないか、噴出させて実用に供するほどの水蒸気が発生されないので、本実施例でいうところの水素水蒸気発生剤３１を水中にドブ漬けする状態が形成されない。水素水蒸気発生剤３１は、水蒸気を発生させるほどに熱せられた加熱水中に継続してドブ漬けされることが重要である。水素水蒸気混合ガス生成手段４０が形成される。
【００５３】
この実施例で加熱水中にドブ漬けとは、水素水蒸気発生剤３１が、自己加熱によって熱湯となった水中に継続して浸漬される状態を指す。
【００５４】
水素水蒸気発生剤３１と水溜め部２７に溜められた水とが、例えば上述した反応式に従って反応して水素を発生し、同時に反応熱によって水蒸気が発生する。この反応で水素と水蒸気との混合ガスが発生する。水素と水蒸気とが同時に発生し、混合ガスが生成される。部屋４１内には、水溜め部２７を形成する時に、混合ガス溜め部２８が形成されるようにして、混合ガスが沸騰した水を混合ガススプレー部２から突出して導出されることを防止する。部屋内には、例えば内壁面に沿って、限界線などで水を投入できる限界表示を行う。
【００５５】
水溜め部２７と混合ガス溜め部２８とは、万一に水素水蒸気スプレーポット１００が倒され、横置きになったときにあっても、混合ガス溜め部２８から熱湯水が流れでない体積比としておくのがよい。
【００５６】
混合ガス導出管５内には、荒目のフイルターあるいは多数のビーズを保持した突出導出を防止することの出来る突出防止手段２９を設ける。
【００５７】
混合ガスは、水蒸気の持つ熱量で加熱され、高温となる。従来の水素水発生装置では、反応熱が捨てられ、有効に使用されなかったが、この実施例では、反応熱が水蒸気発生のために有効に用いられる。水素水蒸気発生剤３１を用いることで、水素と水蒸気を同時に生成して高温の混合ガスを生成することができる。例えば美白や保湿に用いるに十分な混合ガスを生成するに十分な量の水素水蒸気発生剤３１と水とが部屋４１に容易に確保される。どれくらいの量の水素水蒸気発生剤３１と水とを部屋４１に確保するかは、水素水蒸気スプレーポット１００の使用目的を勘案して装置設計者が定めればよい。所望の混合ガスを容易に得られるので、一般の美容サロンや家庭において各種の水素水蒸気トリートメントに対応して、生成混合ガス量を定め、水素水蒸気発生剤３１と水の量とが定められる。上部空間部１２及び下部空間部２２を混合ガス溜め部２８及び混合ガス導出管５に連結して、混合ガス溜め部屋として活用してもよい。
【００５８】
上部部分に設けられた、外方に向けて開放されたスプレー孔３を備え、発生された水素及び水蒸気の混合ガスを噴出させる混合ガススプレー部２が形成された。
【００５９】
この例では、図１に示される混合ガススプレー部２が用いられたが、スプレー孔３に水素水蒸気噴射用のスプレーツールを接続することで、混合ガススプレー部２を形成することができる。この場合、混合ガススプレー部２を、供給管と供給管先端に設けたノズルとして機能するスプレー部と供給管の他端に設けられた連結部とから構成して、供給管に混合ガス噴射量を調整する操作手段を設ける。
【００６０】
この構成によれば、水素水蒸気スプレーポットが、上部筒部と下部筒部とからなり、上部筒部と下部筒部とが枢密に接続可能とされたポット本体と、
ポット本体内に設置された、水素と水蒸気との混合ガスを発生させる水素水蒸気生成部と、
ポット本体の上部に設けられた、外方に向けて設置されたスプレー孔を備え、発生された水素及び水蒸気の混合ガスを噴出させる混合ガススプレー部と、
前記部屋と前記スプレー孔とを連結する混合ガス導出管を有する混合ガス導出部と、からなる水素水蒸気スプレーポットであって、
前記混合ガススプレー部が、スプレー孔に連結される連結部と、供給管と、供給管の先端に設けられたスプレー部とからなり、該供給管に、スプレー部からスプレーされる混合ガスの噴出量を調整する調整手段が設けられて形成される。
【００６１】
これによって、混合ガスの噴出量、噴出時間を調整することができる。
【００６２】
図１において、部屋４１とスプレー孔３とが混合ガス導出管５によって連結された。
【００６３】
混合ガスは、一部の水が沸騰することで生成されるため、生成された時、高温状態を呈する。このため、混合ガス導出管５は、混合ガスを、当該混合ガス導出管５内で、混合ガススプレー部２で噴出する前に温度を低下させる冷却領域５Ａを有する。混合ガス導出管５は、冷却温暖化手段として機能する。冷却領域５Ａは、当該混合ガス導出管５の混合ガススプレー部２への長さを確保することでなされる。あるいは、混合ガス導出管５を細孔のものを複数使用することで、冷却領域を形成することができる。
この冷却領域を設けることで、約８０℃の混合ガスを約４０℃まで冷却する。常温まで冷却するのは、温かい混合ガスを使用するというメリットが失われるので、望ましいことではない。
【００６４】
図５は、他の実施例を示す。図５に示される水素水蒸気スプレーポット１００は、実質的に図１、図２に示される水素水蒸気スプレーポット１００と同様である。この実施例では、混合ガス導出管５が混合ガス導出管上部５１と混合ガス導出管下部５２とから形成された。これに伴って、混合ガス導出管上部５１に冷却領域上部５１Ａが形成され、混合ガス導出管下部５２に冷却領域上部５２Ａが形成される。
【００６５】
混合ガス導出管上部５１の下端部に上部接合部５３が形成され、混合ガス導出管下部５１の上端部に下部接合部５４が形成される。上部接合部５３と下部接合部５４との間にパッキングを設置するようにしてもよい。
【００６６】
これによって、第１の接合部に接合可能な第２の接合部を持つ下部筒部が一体成形されたポット本体下部と、の二つの部材に分離され、また第１の接合部及び第２の接合部を介して一つに接合される水素水蒸気スプレーポット１００が形成される。
【００６７】
この構成によれば、上部構成と下部構成を同じような長さのものとして製造できるので、装置全体をコンパクトにすることができる。
【００６８】
図６は、他の実施例を示す。図１に示される水素水蒸気スプレーポット１００に、姿勢安定部材３２が付着された。姿勢安定部材３２が付着された以外は、図１〜図５に示される例と同一の形状をなす。姿勢安定部材３２は、ダルマ形状をなし、ダルマ形状の膨らみ部３３の内部に重み３３を形成する。中心部に上下方向に水素水蒸気スプレーポット１００の下方部を挿入可能とした円筒状の空間部３４を備える。底面は、円形上にされ、静止状態で上下垂直方向に水素水蒸気スプレーポット１００を保持する。この空間部３４に水素水蒸気スプレーポット１００が嵌合して挿入されることで、水素水蒸気スプレーポット１００は、おもちゃのヤジロベイ形態となって、横方向の外部力が水素水蒸気スプレーポット１００に作用しても、水素水蒸気スプレーポット１００は揺れるだけで倒れることがなく、安全性が確保される。嵌合されなくても係合状態が確保されるものとする。
【００６９】
図７は、他の実施例を示す。上部部分、下部部分及び水素水蒸気発生剤が組み合わされて、図１に示される水素水蒸気スプレーポット１００と同様に水素水蒸気スプレーポット１００が構成される。
【００７０】
図７において、水素水蒸気スプレーポットの上部部分は、主たる構成をなす上部筒部１及び混合ガススプレー部２からなり、樹脂成型により一体に形成される。
【００７１】
上部筒部１は、上面が塞がれ、下端が開放された円筒状をなし、内部に空間部１２を有する。また、上部筒部１は、上部側面に混合ガススプレー部２を備える。
【００７２】
図１にあっては、混合ガス導出管５を備えたが、この例では、空間部１２が混合ガス導出管５の機能を持つと共に、生成された混合ガスを保持する機能を持つ。空間部５は、冷却温暖化手段として機能する。
【００７３】
下部において、内空間部１２に面して雌ねじ部７１を備える。
【００７４】
混合ガススプレー部２は、スプレー孔３と凹状になったスプレー部外面４とから形成される。スプレー部外面４の凹状面の中心方向あるいはスプレー孔３のスプレー方向は、製作時に設計思想に基づいて任意に変えられる。
【００７５】
水素水蒸気スプレーポットの下部部分は、主たる構成をなす下部筒部２１からなり、樹脂成型により形成される。下部筒部２１には、耐熱材が使用される。
【００７６】
下部筒部２１は、箱状をなし、上面に区画板６が一体成形で設けられている。
【００７７】
下部筒部２１は、上端が開放され、下面が塞がれた円筒状をなし、内部に下部内空間部２２を有し、上端部に雄ねじ部７２を有する。
【００７８】
図１に示された例では、区画板６が混合ガス導出管５に取り付けられ、水素水蒸気発生剤の装着ごとに固着されたが、この例では、水素水蒸気発生剤の装着ごとに、すなわち下部筒部２１の上部空間部１２への螺着ごとに本体ポットに装着される。螺着は、雌ねじ部７１と雄ねじ部７２とのねじ係合によってなされる。この装着によって、本体ポット内に、部屋４１、水溜め部２７及び混合ガス溜め部２８が形成され、水素水蒸気混合ガス生成手段４０が形成されるのは、先の実施例と同様である。
【００７９】
上部部分に設けられた、外方に向けて開放されたスプレー孔３を備え、発生された水素及び水蒸気の混合ガスを噴出させる混合ガススプレー部２が形成された。
【００８０】
先の実施例では、図１に示される混合ガススプレー部２が用いられたが、スプレー孔３に水素水蒸気噴射用のスプレーツール８０を接続することで、混合ガススプレー部２を形成することができる。この場合、スプレーツール８０を、供給管８１と供給管先端に設けたノズルとして機能するスプレー部８２と供給管８１の他端に設けられた連結部８３とから構成して、供給管８１に混合ガス噴射量を調整する操作手段８４を設ける。
【００８１】
操作手段８４は、一定圧力にあると開放されるように構成することができる。
【００８２】
この構成によれば、水素水蒸気スプレーポットが、上部筒部と下部筒部とからなり、上部筒部と下部筒部とが枢密に接続可能とされたポット本体が形成される。
【００８３】
水素水蒸気スプレーポット１００は、ポット本体内に、水素と水蒸気との混合ガスを発生させる水素水蒸気混合ガス生成手段４０と、
当該水素水蒸気生成部で生成した混合ガスを保持するポット本体内の内部空間部と、
ポット本体の上部に設けられた、外方に向けて設置されたスプレー孔を備え、ポット本体内の内部空間部に保持された混合ガスを噴出させる混合ガススプレー部と、
前記部屋と前記スプレー孔とを連結する混合ガス導出管を有する混合ガス導出部と、を有し、
前記混合ガススプレー部が、スプレー孔に連結される連結部と、供給管と、供給管の先端に設けられたスプレー部とからなり、該供給管に、スプレー部からスプレーされる混合ガスの噴出量を調整する調整手段が設けられて形成される。
【００８４】
これによって、混合ガスの噴出量、噴出時間を調整することができる。
【００８５】
この例では、上部筒部１及び下部筒部２１からなるポット本体が、円筒状とされたが、この形状に限定されず、任意の外形形態に設計されてよい。
【００８６】
図８は、他の実施例を示す。図８に示される水素水蒸気スプレーポット１００は、図７に示された水素水蒸気スプレーポット１００に変形例である。図７に示された水素水蒸気スプレーポット１００にあっては、水素水蒸気発生剤３１を用いて水素と水蒸気を生成する例について説明したが、図７に示される水素水蒸気スプレーポット１００は、水素水蒸気発生剤３１に代わりに電気分解装置９０を用いる。
【００８７】
電気分解装置９０が部屋４１内に設置されて水素水蒸気混合ガス生成手段４０が形成される。電気分解装置９０は、２つの電極板９１，９２を備える。部屋４１の側壁に沿ってヒーター９３が設けられ、下部部分の下部筒部２１は、ヒーター９３からの熱に耐える断熱材で形成される。２つの電極板９１，９２は、正極、負極の対をなして配置される。電極板９１，９２及びヒーター９３及び電線９５，９６は、電源９７にそれぞれ接続される。電源９８は、電線９９を介して、孔１０１を通して外部電源（図示せず）に接続される。
【００８８】
制御装置９８が設けられ、電極板９１，９２及びヒーター９３を制御する。制御装置９８は、制御部、メモリー部、タイマー部、安全制御部、電極制御部及びヒーター制御部（図示せず）を備える。電気分解装置９０とヒーター９３が同時に作動するようにすることで、当該部屋内に形成された水溜め部の水を用いることで水素と水蒸気とを同時に発生させて混合ガスを生成する水素水蒸気混合ガス生成手段４０を形成することができる。水素水蒸気混合ガス生成手段４０は、収納された水に、当該水が常温から加熱が継続された状態下でドブ漬けされる。いずれか一方を他に先行して動作するようにしてもよい。この例によっても、ポット本体と、ポット本体内に水素水蒸気発生手段として電気分解装置９０と水とを収納する部屋４１を有し、部屋４１内に水溜め部２７、混合ガス溜め部２８が形成される。
【００８９】
収納された水に、当該水が常温から加熱が継続された状態下でドブ漬けされた水素水蒸気混合ガス生成手段４０を有することで、水素と水蒸気とを同時に発生させて混合ガスを生成することができる。
【００９０】
水素水蒸気スプレーポット１００は、先例を同様に発生した混合ガスを冷却して温暖化する冷却温暖化手段とポット本体の上部に設けられた、外方に向けて設置されたスプレー孔を備え、発生された水素及び水蒸気の温暖状態の混合ガスを噴出させる混合ガススプレー手段と、を有して構成される。
【符号の説明】
【００９１】
１…上部部分の上部筒部、２…混合ガススプレー部（混合ガススプレー手段）、３…スプレー孔、４…スプレー部外面、５…混合ガス導出管、５Ａ…冷却領域、６…区画板、７…混合ガス通気口、８…雌ねじ部、２１…下部部分の下部筒部、２２…下部筒部内空間部、２３…下部筒部内空間部の下部部分、２７…水溜め部、２８…混合ガス溜め部、３１…水素水蒸気発生剤、姿勢安定部材３２、４０…水素水蒸気混合ガス生成手段、４１…部屋、５１…混合ガス導出管上部、５１Ａ…冷却領域上部、５２…混合ガス導出管下部、５２Ａ…冷却領域下部、５３…上部接合部、５４…下部接合部、８０…スプレーツール、８１…供給管、８２…スプレー部、８３…連結部８３、８４…操作手段、１００…水素水蒸気スプレーポット。
【図１】
2018175319.tif 000003
【図２】
2018175319.tif 000004
【図３】
2018175319.tif 000005
【図４】
2018175319.tif 000006
【図５】
2018175319.tif 000007
【図６】
2018175319.tif 000008
【図７】
2018175319.tif 000009
【図８】
2018175319.tif 000010
【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
ポット本体と、
水素水蒸気発生剤と水とを収納する部屋を有し、当該部屋に投入され、収納された水に、当該水が常温から加熱が継続された状態下で浸漬された水素水蒸気発生剤と当該部屋内に形成された水溜め部の水との反応で水素と水蒸気とを同時に発生させて混合ガスを生成する、ポット本体内に形成された水素水蒸気混合ガス生成手段と、
上部部分に設けられた、外方に向けて設置されたスプレー孔を備え、発生された水素及び水蒸気の混合ガスを噴出させる混合ガススプレー部と、
混合ガススプレー部で噴出する前に温度を低下させる冷却領域を有する混合ガス冷却部と、
を備えることを特徴とする水素水蒸気スプレーポット。
【請求項２】
請求項１に記載された水素水蒸気スプレーポットにおいて、水素水蒸気生成混合ガス生成手段が、前記部屋の上部に、混合ガス溜まりを有することを特徴とする水素水蒸気スプレーポット。
【請求項３】
請求項１に記載された水素水蒸気スプレーポットにおいて、嵌合用のあるいは係合用の空間部を有して、該空間部にポット本体の一部を収納するダルマ形状の姿勢安定部材を備えたことを特徴とする水素水蒸気スプレーポット。
【請求項４】
請求項１に記載された水素水蒸気スプレーポットにおいて、前記部屋が、区画板がポット本体内に設置されることで形成され、混合ガス導出管が当該区画板に連結され、ポット本体の上部がポット本体の下部から切り離されると、混合ガス導出管と共に前記区画板がポット本体から切り離され、水蒸気発生剤と水とがポット本体下部内に収納可能とされ、ポット本体の上部がポット本体の下部に接合されると、水素水蒸気混合ガス生成手段が形成されることを特徴とする水素水蒸気スプレーポット。
【請求項５】
請求項１に記載された水素水蒸気スプレーポットにおいて、第１の接合部を持つ上部筒部、前記混合ガススプレー部及び区画板を備えた混合ガス導出部が一体成形されたポット本体上部と、
第１の接合部に接合可能な第２の接合部を持つ下部筒部が一体成形されたポット本体下部と、の二つの部材に分離され、また第１の接合部及び第２の接合部を介して一つに接合されることを特徴とする水素水蒸気スプレーポット。
【請求項６】
ポット本体と、
ポット本体内に区画して形成された、水を収納する部屋を有し、収納された水に、当該水が常温から加熱が継続された状態下で浸漬された水素水蒸気同時発生手段を有して、同時に生成された水素と水蒸気とから混合ガスを生成する、水素水蒸気混合ガス生成手段と、
発生した混合ガスを冷却して温暖化する冷却温暖化手段と
ポット本体の上部に設けられた、外方に向けて設置されたスプレー孔を備え、発生された水素及び水蒸気の温暖状態の混合ガスを噴出させる混合ガススプレー手段と、を有して構成されたこと
を特徴とする水素水蒸気スプレーポット。
【請求項７】
請求項６に記載された水素水蒸気スプレーポットにおいて、水素水蒸気同時発生手段が電気分解装置であることを特徴とする水素水蒸気スプレーポット。
【請求項８】
ポット本体と、
ポット本体内に設置された、水素と水蒸気とからなる混合ガスを発生させる水素水蒸気混合ガス生成手段と、
生成された混合ガスを温暖化するポット本体内の内部空間部と、
ポット本体の上部に設けられた、外方に向けて設置されたスプレー孔を備え、ポット本体内の内部空間部に保持された混合ガスを噴出させる混合ガススプレー部と、
部屋と前記スプレー孔とを連結する混合ガス導出管を有する混合ガス導出部と、からなる水素水蒸気スプレーポットであって、
前記混合ガススプレー部が、スプレー孔に連結される連結部と、供給管と、供給管の先端に設けられたスプレー部とからなり、該供給管に、スプレー部から温暖化された混合ガスの噴出量を調整する調整手段が設けられていること
を特徴とする水素水蒸気スプレーポット。
【手続補正２】
【補正対象書類名】明細書
【補正対象項目名】００１０
【補正方法】変更
【補正の内容】
【００１０】
本発明は、ポット本体と、
水素水蒸気発生剤と水とを収納する部屋を有し、当該部屋に投入され、収納された水に、当該水が常温から加熱が継続された状態下で浸漬された水素水蒸気発生剤と当該部屋内に形成された水溜め部の水との反応で水素と水蒸気とを同時に発生させて混合ガスを生成する、ポット本体内に形成された水素水蒸気混合ガス生成手段と、
上部部分に設けられた、外方に向けて設置されたスプレー孔を備え、発生された水素及び水蒸気の混合ガスを噴出させる混合ガススプレー部と、
混合ガススプレー部で噴出する前に温度を低下させる冷却領域を有する混合ガス冷却部と、
を備えることを特徴とする水素水蒸気スプレーポットを提供する。
【手続補正３】
【補正対象書類名】明細書
【補正対象項目名】００１１
【補正方法】変更
【補正の内容】
【００１１】
本発明は、上述の水素水蒸気スプレーポットにおいて、水素水蒸気生成混合ガス生成手段が、前記部屋の上部に、混合ガス溜まりを有することを特徴とする水素水蒸気スプレーポットを提供する。
【手続補正４】
【補正対象書類名】明細書
【補正対象項目名】００１２
【補正方法】変更
【補正の内容】
【００１２】
本発明は、上述の水素水蒸気スプレーポットにおいて、嵌合用のあるいは係合用の空間部を有して、該空間部にポット本体の一部を収納するダルマ形状の姿勢安定部材を備えたことを特徴とする水素水蒸気スプレーポットを提供する。
【手続補正５】
【補正対象書類名】明細書
【補正対象項目名】００１５
【補正方法】変更
【補正の内容】
【００１５】
本発明は、ポット本体と、
ポット本体内に区画して形成された、水を収納する部屋を有し、収納された水に、当該水が常温から加熱が継続された状態下で浸漬された水素水蒸気同時発生手段を有して、同時に生成された水素と水蒸気とから混合ガスを生成する、水素水蒸気混合ガス生成手段と、
発生した混合ガスを冷却して温暖化する冷却温暖化手段と
ポット本体の上部に設けられた、外方に向けて設置されたスプレー孔を備え、発生された水素及び水蒸気の温暖状態の混合ガスを噴出させる混合ガススプレー手段と、を有して構成されたこと
を特徴とする水素水蒸気スプレーポットを提供する。
【手続補正６】
【補正対象書類名】明細書
【補正対象項目名】００１６
【補正方法】変更
【補正の内容】
【００１６】
本発明は、上述の水素水蒸気スプレーポットにおいて、水素水蒸気同時発生手段が電気分解装置であることを特徴とする水素水蒸気スプレーポットを提供する。
【手続補正７】
【補正対象書類名】明細書
【補正対象項目名】００１７
【補正方法】変更
【補正の内容】
【００１７】
本発明は、ポット本体と、
ポット本体内に設置された、水素と水蒸気とからなる混合ガスを発生させる水素水蒸気混合ガス生成手段と、
生成された混合ガスを温暖化するポット本体内の内部空間部と、
ポット本体の上部に設けられた、外方に向けて設置されたスプレー孔を備え、ポット本体内の内部空間部に保持された混合ガスを噴出させる混合ガススプレー部と、
部屋と前記スプレー孔とを連結する混合ガス導出管を有する混合ガス導出部と、からなる水素水蒸気スプレーポットであって、
前記混合ガススプレー部が、スプレー孔に連結される連結部と、供給管と、供給管の先端に設けられたスプレー部とからなり、該供給管に、スプレー部から温暖化された混合ガスの噴出量を調整する調整手段が設けられていること
を特徴とする水素水蒸気スプレーポットを提供する。
【手続補正８】
【補正対象書類名】明細書
【補正対象項目名】００５２
【補正方法】変更
【補正の内容】
【００５２】
水素水蒸気発生剤３１は、当該部屋に収納された水にドブ漬け、すなわち浸漬された生剤３１は、水素発生剤としての機能を備え、水素を発生し、当該部屋内の水を加熱して水蒸気を発生させる。このように、水素水蒸気発生剤３１は、水蒸気を発生させるほどに水を熱し、沸騰させる。水素水蒸気発生剤３１は、沸騰された加熱水中に継続して浸漬され、水素を発生し、同時に外部に噴出させるほどの量の水蒸気を継続して発生させる。外部に噴出させるほどの量の水蒸気を継続して発生させる量とされた水素水蒸気発生剤３１が区画された部屋４１内に投入される。水素水蒸気発生剤３１は、当初常温の量が規定量に限定された水の中に投入されるが、沸騰された加熱水中においても水素、水蒸気を継続して発生させる量とされる。水素水蒸気発生剤３１が沸騰された加熱水中においても浸漬状態にあり、本実施例の特徴をなす。したがって、本実施例で、水素水蒸気発生剤３１を水中に浸漬するとは、当初常温の水に投入され、沸騰された加熱水中においても水素、水蒸気を継続して発生させる状態を形成することをいう。いくつかの従来例に示されるように、ポット本体内に水素を発生されるために水素発生剤を設置する方法では、水が過剰状態にあり、水素の発生はなされるが水蒸気に発生がないか、噴出させて実用に供するほどの水蒸気が発生されないので、本実施例でいうところの水素水蒸気発生剤３１を水中に浸漬する状態が形成されない。水素水蒸気発生剤３１は、水蒸気を発生させるほどに熱せられた加熱水中に継続して浸漬されることが重要である。水素水蒸気混合ガス生成手段４０が形成される。
【手続補正９】
【補正対象書類名】明細書
【補正対象項目名】００５３
【補正方法】変更
【補正の内容】
【００５３】
この実施例で加熱水中にドブ漬けとは、水素水蒸気発生剤３１が、自己加熱によって熱湯となった水中に継続して浸漬される状態を指す。
【手続補正１０】
【補正対象書類名】明細書
【補正対象項目名】００８９
【補正方法】変更
【補正の内容】
【００８９】
収納された水に、当該水が常温から加熱が継続された状態下で浸漬された水素水蒸気混合ガス生成手段４０を有することで、水素と水蒸気とを同時に発生させて混合ガスを生成することができる。